(57)【要約】【課題】  専門的な知識を持たないユーザが的確にデータを保護でき、的確な修理を可能とし、かつ低コストとする。【解決手段】  情報記録装置は、予め定められた条件を満たすセクタを検出できる第１ハードディスク１７０と、第１ハードディスク１７０に、予め定められた条件を満たしたセクタを表わす情報を出力する旨の命令を出力し、第１ハードディスク１７０から、予め定められた条件を満たしたセクタを表わす情報を受付けるインターフェイス兼ストリーム制御部１４０と、予め定められた条件を満たすセクタの数がしきい値以上か否かを判断し、そのセクタの数がしきい値以上である場合、第１ハードディスク１７０が異常を有する旨の信号を出力するビデオドライバ１６６と、任意情報を光ディスクに書込むピックアップ部１１１とを含む。【選択図】        図１
2006099908.tif 000002
【特許請求の範囲】
【請求項１】
情報を書込み済みの代替セクタを検出できるハードディスクと、
前記ハードディスクに、予め組合せが定められた複数の情報の一部として前記情報を書込み済みの代替セクタを表わす情報を出力する旨の命令および任意の内容を表わす任意情報を出力するための第１の出力手段と、
前記ハードディスクから、前記情報を書込み済みの代替セクタを表わす情報および任意情報を受付けるための受付手段と、
前記情報を書込み済みの代替セクタの数が判断用のしきい値以上か否かを判断するための判断手段と、
前記判断手段が、前記情報を書込み済みの代替セクタの数は前記判断用のしきい値以上であると判断した場合、前記ハードディスクが不良箇所を有する旨の信号を出力するための第２の出力手段と、
前記任意情報を記録媒体に書込む別のハードディスクとを含む、ハードディスクレコーダ。
【請求項２】
任意の内容を表わす任意情報を書込んだセクタごとの結果および前記ハードディスクが記憶した任意情報を読取ったセクタごとの結果のいずれかを表わす結果情報を出力できるハードディスクと、
前記ハードディスクに、前記結果情報を出力する旨の命令および前記任意情報を出力するための第１の出力手段と、
前記ハードディスクから、前記結果情報および任意情報を受付けるための受付手段と、
前記ハードディスクのセクタについての、前記任意情報を書込んだ結果および前記任意情報を読取った結果のいずれかの、エラーの回数が判断用のしきい値以上か否かを判断するための判断手段と、
前記判断手段が、前記エラーの回数は前記判断用のしきい値以上であると判断した場合、前記ハードディスクが不良箇所を有する旨の信号を出力するための第２の出力手段と、
前記任意情報を光ディスクに書込むための書込み手段とを含む、ハードディスクレコーダ。
【請求項３】
予め定められた条件を満たすセクタを検出できるハードディスクと、
前記ハードディスクに、前記予め定められた条件を満たしたセクタを表わす情報を出力する旨の命令および任意の内容を表わす任意情報を出力するための第１の出力手段と、
前記ハードディスクから、前記予め定められた条件を満たしたセクタを表わす情報および任意情報を受付けるための受付手段と、
前記予め定められた条件を満たすセクタの数が判断用のしきい値以上か否かを判断するための判断手段と、
前記判断手段が、前記予め定められた条件を満たすセクタの数は前記判断用のしきい値以上であると判断した場合、前記ハードディスクが不良箇所を有する旨の信号を出力するための第２の出力手段と、
前記任意情報を記録媒体に書込むための書込み手段とを含む、情報記録装置。
【請求項４】
前記予め定められた条件を満たしたセクタを表わす情報を出力する旨の命令は、複数の情報の一部として前記情報を出力する旨の命令を含む、請求項３に記載の情報記録装置。
【請求項５】
前記複数の情報は、予め組合せが定められた複数の情報である、請求項４に記載の情報記録装置。
【請求項６】
前記予め定められた条件は、情報を書込み済みの代替セクタであることという条件を含む、請求項３に記載の情報記録装置。
【請求項７】
前記記録媒体は、光ディスクを含む、請求項３に記載の情報記録装置。
【請求項８】
前記書込み手段は別のハードディスクを含む、請求項３に記載の情報記録装置。
【発明の詳細な説明】
【技術分野】
【０００１】
本発明は、情報記録装置およびハードディスクレコーダに関し、特に、民生機器である情報記録装置およびハードディスクレコーダに関する。
【背景技術】
【０００２】
特許文献１に開示される磁気ディスク装置は、不良セクタが同一トラックにリアサインされているときに、リトライ回数を適宜設定するリトライ制御回路を有する。
【０００３】
この発明によると、ホスト・システムと磁気ディスク装置との間のスループットを、代替セクタを含まないトラックの読み出しや書込みと、代替セクタを含むトラックの読み出しや書込みとで、同程度に確保できる。
【０００４】
特許文献２に開示されるハードディスク装置は、エラーを検出するエラー検出回路と、エラーが検出されるとリトライを実行するリトライ実行回路と、リトライ実行回路によるリトライを所定回数繰り返しても復旧できなかった場合に修復不可能エラーとしてカウントする第１のカウンタと、しきい値を設定する第１の設定回路と、第１のカウンタの値と、設定回路で設定されたしきい値とを比較してハードディスク装置の状態を判定する第１の比較回路と、第１の比較回路の判定結果に基づいて表示が行なわれる表示装置とを含む。
【０００５】
この発明によると、別途ソフトウェアなどを使用しなくとも、ハードディスク装置の故障を事前に把握して外部に通知できる。
【０００６】
特許文献３に開示される記録再生装置は、複数台の記録装置に映像／音声データをブロックサイズ毎のデータに分割して記録して再生する記録再生装置であって、映像／音声データをブロックサイズ毎のデータに分割して同一データを特定の記録装置に集中しないように２つ以上の記録装置に記録するデータ記録装置と、記録の法則により生成されるファイルシステム情報を記録装置に記録するファイルシステム情報記録装置と、ファイルシステム情報に基づいて複数台の記録装置に記録された複数ある同一ブロック・データの内の１つを特定の記録装置に集中しないようにして読み出す再生装置とを含む。
【０００７】
この発明によると、複数台の記録装置の内１台以上が故障しても、映像／音声を途切れること無く再生でき、かつ１台以上故障しても故障前とほぼ同等な転送速度を維持できる。
【０００８】
特許文献４に開示される磁気ディスク装置は、装置内の複数の部品の劣化状況を計測する計測装置と、予め記録装置に設定したそれぞれのしきい値との比較を行なう比較回路と、しきい値と比較した結果しきい値を超えた時に使用者に告知する告知装置と、スピンドルモータの延起動時間を計測ししきい値と比較した結果、スピンドルの回転装置を抑える回路とを有する装置にある。
【０００９】
この発明によると、劣化状態にある場合には、使用者に告知するとともにそれぞれの結果に応じた形で対策を施すことによって、長寿命化をはかることができる。
【００１０】
特許文献５に開示される映像信号の記録方法は、供給される映像信号を所定の画像単位ごとの圧縮符号化した符号化信号として得、その得られた符号化信号を一時記憶し、一時記憶されたその符号化信号を読み出してランダムアクセス可能な記録媒体に記録する映像信号の記録方法において、符号化信号を記録媒体に記録するときに生じる誤り信号を検出する第１のステップと、その第１のステップにより誤り信号が検出されるときは、一時記憶された符号化信号を消去する第２のステップと、その第２のステップによる消去後に、供給される符号化信号の一時記憶を開始する第３のステップと、その第３のステップにより一時記憶された信号を、所定の画像単位毎に読み出す第４のステップと、その第４のステップにより読み出された所定の画像単位ごとの信号を記録媒体に記録する第５のステップとを含む。
【００１１】
この発明によると、記録、再生特性を有するとともに、記録媒体のデフェクトに起因して生じる誤り信号の影響を受け難くすることができる。
【００１２】
特許文献６に開示されるアクセス切替制御装置は、システム本体部に必要な情報を提供する記憶媒体に対して、アクセスの切替え制御を行なう装置であって、同一内容の情報が記憶された複数の記憶媒体と、複数の記憶媒体に対する選択の切替えを行なうアクセス切替回路と、システム本体部がフリーズしたか否かを検出するフリーズ検出回路と、フリーズを検出したとき、システムリセットをかけ、現在選択されている記憶媒体を他の記憶媒体に切り替えた後に、システム本体部の再起動を実行する制御回路とを含む。
【００１３】
この発明によると、１台のハードディスクが故障しても、他のハードディスクにアクセスして、システムを迅速に復旧させて、常に正常な運転状態に保つことができる。
【００１４】
特許文献７に開示される画像処理装置は、画像データの入出力がシリアル通信により受け渡しされる画像処理装置において、画像情報に基づき画像領域を区別する領域区別回路と、それぞれの画像領域毎に異なった画像処理を並列におこなう複数の画像処理回路と、その各画像処理回路と各画像処理回路の入出力側との間のシリアル通信のパスまたはシリアル通信線数を変更する切替え回路とを備え、画像データに基づき当該画像処理直前にシリアル通信のパスまたはシリアル通信線数を変更する構成にしたことを特徴とする。
【００１５】
この発明によると、装置コストの増大を抑制しながら、ハードディスクに記憶される管理情報を的確に保護できる。
【００１６】
特許文献８に開示されるハードディスク多重制御装置は、ミラー接続した複数のハードディスク装置を制御するハードディスク多重制御装置において、ミラー接続した複数のハードディスク装置と、ミラー接続したハードディスク装置がリードエラーとなり他のハードディスク装置からリードしたデータを書き込む回数をカウントする回路と、上記回数が所定回数を越えたときに異常と判定し、該当ハードディスク装置の異常メッセージを出力あるいは該当ハードディスク装置をミラー接続から切り離す装置とを有する。
【００１７】
この発明によると、重大故障が発生する前にミラー接続されたハードディスク装置を検出することができる。
【００１８】
特許文献９に開示されるデータ記憶装置は、データを記憶する記憶回路を備えたデータ記憶装置において、記憶回路に形成された記憶領域からデータを読み出すデータ読出回路と、読み出されたデータを一時保持するデータ保持回路と、データ読出回路によりデータの読み出しが行なわれた記憶領域を初期化する初期化回路と、初期化回路により初期化された記憶領域に対し、前記データ保持回路に一時保持されたデータを書き込むデータ書込回路とを含む。
【００１９】
この発明によると、ディスクのフォーマットを短時間で容易に行なうことができる。
【００２０】
しかしながら、特許文献１に開示された発明、特許文献５に開示された発明、および特許文献９に開示された発明では、磁気ディスクの老朽化により不良セクタが増大した場合、データが損なわれるおそれがあるという問題点がある。ユーザにとって、磁気ディスクの故障は突然生じる出来事である。バックアップをとることは容易なことではない。
【００２１】
特許文献２に開示された発明および特許文献８に開示された発明では、ハードディスク装置が老朽化した場合、専門的な知識を持たないユーザがデータを保存することは困難であるという問題点がある。
【００２２】
特許文献３および特許文献７に開示された発明に開示された発明では、ハードディスク装置が老朽化した場合、専門的な知識を持たないユーザがそのことに気づき難いという問題点がある。
【００２３】
特許文献４に開示された発明および特許文献６に開示された発明では、磁気ディスク装置などの劣化の時期が不的確になるという問題点がある。また、ユーザが専門的な知識を持たない場合、的確に対策を取ることが困難であるという問題点もある。また、ユーザに磁気ディスクの劣化を知らせるためのコストが、装置全体のコストを押上げるという問題点もある。
【特許文献１】特開２００１−１２６４１７号公報
【特許文献２】特開２００１−２１００２７号公報
【特許文献３】特開２００１−３３１２７８号公報
【特許文献４】特開２００２−１５７８１３号公報
【特許文献５】特開２００２−１８５９２１号公報
【特許文献６】特開２００２−２２９７４２号公報
【特許文献７】特開２００３−２９７０４４号公報
【特許文献８】特開２００３−１４０８３９号公報
【特許文献９】特開２００４−２０６２９１号公報
【発明の開示】
【発明が解決しようとする課題】
【００２４】
本発明は上述の問題点を解決するためになされたものであって、その目的は、専門的な知識を持たないユーザが的確にデータを保護でき、かつ的確な修理を可能とする低コストの情報記録装置およびハードディスクレコーダを提供することにある。
【課題を解決するための手段】
【００２５】
上記目的を達成するために、本発明のある局面にしたがうと、ハードディスクレコーダは、情報を書込み済みの代替セクタを検出できるハードディスクと、ハードディスクに、予め組合せが定められた複数の情報の一部として情報を書込み済みの代替セクタを表わす情報を出力する旨の命令および任意の内容を表わす任意情報を出力するための第１の出力手段と、ハードディスクから、情報を書込み済みの代替セクタを表わす情報および任意情報を受付けるための受付手段と、情報を書込み済みの代替セクタの数が判断用のしきい値以上か否かを判断するための判断手段と、判断手段が、情報を書込み済みの代替セクタの数は判断用のしきい値以上であると判断した場合、ハードディスクが不良箇所を有する旨の信号を出力するための第２の出力手段と、任意情報を記録媒体に書込む別のハードディスクとを含む。
【００２６】
すなわち、受付手段は、情報を書込み済みの代替セクタを検出できるハードディスクから、情報を書込み済みの代替セクタを表わす情報を受付ける。第２の出力手段は、判断手段が、情報を書込み済みの代替セクタの数は判断用のしきい値以上であると判断した場合、ハードディスクが不良箇所を有する旨の信号を出力する。別のハードディスクは、任意情報を記録媒体に書込む。情報を書込み済みの代替セクタを検出できるハードディスクのコストは特に低い。情報を書込み済みの代替セクタを検出するための手段をハードディスクとは別に設ける必要もない。これにより、ハードディスクレコーダを特に低コストにすることができる。その結果、専門的な知識を持たないユーザが的確にデータを保護でき、かつ的確な修理を可能とする特に低コストのハードディスクレコーダを提供することができる。
【００２７】
本発明の他の局面にしたがうと、ハードディスクレコーダは、任意の内容を表わす任意情報を書込んだセクタごとの結果およびハードディスクが記憶した任意情報を読取ったセクタごとの結果のいずれかを表わす結果情報を出力できるハードディスクと、ハードディスクに、結果情報を出力する旨の命令および任意情報を出力するための第１の出力手段と、ハードディスクから、結果情報および任意情報を受付けるための受付手段と、ハードディスクのセクタについての、任意情報を書込んだ結果および任意情報を読取った結果のいずれかの、エラーの回数が判断用のしきい値以上か否かを判断するための判断手段と、判断手段が、エラーの回数は判断用のしきい値以上であると判断した場合、ハードディスクが不良箇所を有する旨の信号を出力するための第２の出力手段と、任意情報を光ディスクに書込むための書込み手段とを含む。
【００２８】
すなわち、受付手段は、ハードディスクから、任意情報を書込んだセクタごとの結果およびハードディスクが記憶した任意情報を読取ったセクタごとの結果のいずれかを表わす結果情報を受付ける。第２の出力手段は、判断手段が、ハードディスクのセクタについての、任意情報を書込んだ結果および任意情報を読取った結果のいずれかの、エラーの回数は判断用のしきい値以上であると判断した場合、ハードディスクが不良箇所を有する旨の信号を出力する。書込み手段は、任意情報を光ディスクに書込む。結果情報を出力できるハードディスクのコストは特に低い。結果情報を出力するための手段をハードディスクとは別に設ける必要もない。これにより、ハードディスクレコーダを特に低コストにすることができる。その結果、専門的な知識を持たないユーザが的確にデータを保護でき、かつ的確な修理を可能とする特に低コストのハードディスクレコーダを提供することができる。
【００２９】
本発明の他の局面にしたがうと、情報記録装置は、予め定められた条件を満たすセクタを検出できるハードディスクと、ハードディスクに、予め定められた条件を満たしたセクタを表わす情報を出力する旨の命令および任意の内容を表わす任意情報を出力するための第１の出力手段と、ハードディスクから、予め定められた条件を満たしたセクタを表わす情報および任意情報を受付けるための受付手段と、予め定められた条件を満たすセクタの数が判断用のしきい値以上か否かを判断するための判断手段と、判断手段が、予め定められた条件を満たすセクタの数は判断用のしきい値以上であると判断した場合、ハードディスクが不良箇所を有する旨の信号を出力するための第２の出力手段と、任意情報を記録媒体に書込むための書込み手段とを含む。
【００３０】
すなわち、受付手段は、予め定められた条件を満たすセクタを検出できるハードディスクから、予め定められた条件を満たしたセクタを表わす情報を受付ける。第２の出力手段は、判断手段が、予め定められた条件を満たすセクタの数は判断用のしきい値以上であると判断した場合、ハードディスクが不良箇所を有する旨の信号を出力する。書込み手段は、任意情報を記録媒体に書込む。予め定められた条件を満たすセクタを検出できるハードディスクのコストは低い。予め定められた条件を満たすセクタを検出するための手段をハードディスクとは別に設ける必要もない。これにより、ハードディスクレコーダを低コストにすることができる。その結果、専門的な知識を持たないユーザが的確にデータを保護でき、かつ的確な修理を可能とする低コストの情報記録装置を提供することができる。
【００３１】
また、上述の予め定められた条件を満たしたセクタを表わす情報を出力する旨の命令は、複数の情報の一部として情報を出力する旨の命令を含むことが望ましい。
【００３２】
すなわち、受付手段は、複数の情報の一部として、予め定められた条件を満たしたセクタを表わす情報を受付ける。これにより、予め定められた条件を満たしたセクタを表わす情報を出力させるために特別な命令を設ける必要性が薄れる。その必要性が薄れるので、ハードディスクをより低コストにすることができる。その結果、専門的な知識を持たないユーザが的確にデータを保護でき、かつ的確な修理を可能とするより低コストの情報記録装置を提供することができる。
【００３３】
また、上述の複数の情報は、予め組合せが定められた複数の情報であることが望ましい。
【００３４】
すなわち、受付手段は、予め組合せが定められた複数の情報の一部として、セクタを表わす情報を受付ける。これにより、予め定められた条件を満たしたセクタを表わす情報を出力させるために特別な命令を設ける必要性が薄れる。複数の情報を複数の目的に利用できる可能性が高くなる。特別な命令を設ける必要性が薄れ、かつ複数の目的に利用できる可能性が高くなるので、ハードディスクを特に低コストにすることができる。その結果、専門的な知識を持たないユーザが的確にデータを保護でき、かつ的確な修理を可能とする特に低コストの情報記録装置を提供することができる。
【００３５】
また、上述の予め定められた条件は、情報を書込み済みの代替セクタであることという条件を含むことが望ましい。
【００３６】
また、上述の記録媒体は、光ディスクを含むことが望ましい。
【００３７】
また、上述の書込み手段は別のハードディスクを含むことが望ましい。
【発明の効果】
【００３８】
本発明に係る情報記録装置およびハードディスクレコーダは、専門的な知識を持たないユーザが的確にデータを保護でき、的確な修理を可能とし、かつ低コストとすることができる。
【発明を実施するための最良の形態】
【００３９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００４０】
本実施の形態に係る情報記録装置は、ハードディスクレコーダである。図１を参照して、本実施の形態に係る情報記録装置は、ＯＰＵ（Optical Pick up Unit）１０２と、処理ブロック１０４と、ハードディスク装置１０６と、制御ブロック１０８と、ＡＶチューナブロック１１０とを含む。ＯＰＵ１０２は、光ディスクから情報を読取る。ＯＰＵ１０２は、光ディスクに情報を記録する部分でもある。処理ブロック１０４は、ＯＰＵ１０２が光ディスクから読取った信号を受付ける。処理ブロック１０４は、ＯＰＵ１０２が光ディスクに記録する信号を供給する部分でもある。処理ブロック１０４は、ＯＰＵ１０２の動作を制御する部分でもある。ハードディスク装置１０６は、映像の情報を記録する。ハードディスク装置１０６は、映像の情報を記録したり読取ったりするために必要な情報を記録する装置でもある。本実施の形態にかかるハードディスク装置１０６は、情報を書込み済みの代替セクタを検出できる。本実施の形態にかかるハードディスク装置１０６は、任意情報（「任意情報」の具体的な定義は後述する）を書込んだセクタごとの結果およびハードディスク装置１０６が記憶した任意情報を読取ったセクタごとの結果のいずれかを表わす結果情報を出力できる。制御ブロック１０８は、本実施の形態に係る情報記録装置を制御する。制御ブロック１０８は、アナログ信号とデジタル信号とを互いに変換する回路でもある。ＡＶチューナブロック１１０は、アナログ信号を受付ける。ＡＶチューナブロック１１０は、アナログ信号を出力する回路でもある。
【００４１】
ＯＰＵ１０２は、ピックアップ部１１１と、スピンドルモータ１１２と、ローディングモータ１１４と、スレッドモータ１１６とを含む。ピックアップ部１１１は、光ディスクに信号を記録する。ピックアップ部１１１は、光ディスクから信号を読取る装置でもある。スピンドルモータ１１２は、光ディスクを回転させる。ローディングモータ１１４は、光ディスクをＯＰＵ１０２の中に取込む。スレッドモータ１１６は、ピックアップ部１１１を移動させる。
【００４２】
処理ブロック１０４は、ＲＦ（Radio-friquency）信号処理部１２０と、レーザパワー制御部１２２と、ＣＤ（Compact Disk）／ＤＶＤ（Digital Versatile Disc）デコーダ１２４と、ＤＶＤエンコーダ１２６と、ＣＤエンコーダ１２８と、サーボ信号処理部１３０と、ＡＴＡＰＩ（AT Attachment Packet Interface）インターフェイス１３２と、ＳＤＲＡＭ（Synchronous Dynamic Random Access Memory）１３４と、モータドライバ１３６と、サブＣＰＵ（Central Processing Unit）１３８と、フラッシュメモリ１３９とを含む。ＲＦ信号処理部１２０は、ピックアップ部１１１が読取った信号を電気的な信号に変換する。レーザパワー制御部１２２は、ピックアップ部１１１が光ディスクに照射するレーザ光の強度を制御する。ＣＤ／ＤＶＤデコーダ１２４は、ＲＦ信号処理部１２０が出力した信号を用いて、映像などを表わす信号に変換する。ＤＶＤエンコーダ１２６は、ＡＴＡＰＩインターフェイス１３２が出力した信号をレーザ光の強度を表わす信号に変換する。ＣＤエンコーダ１２８は、ＡＴＡＰＩインターフェイス１３２が出力した信号をレーザ光の強度を表わす信号に変換する。ＣＤエンコーダ１２８が変換する信号は、ＣＤに信号を記録するためのものである。サーボ信号処理部１３０は、サブＣＰＵ１３８の制御に応じてサーボ信号を出力する。ＡＴＡＰＩインターフェイス１３２は、制御ブロック１０８との間で情報を授受する。ＳＤＲＡＭ１３４は、一時的に情報を記憶する。モータドライバ１３６は、ＯＰＵ１０２の各種のモータを制御する。サブＣＰＵ１３８は、ＯＰＵ１０２のモータを制御するために必要な情報を処理する。フラッシュメモリ１３９は、サブＣＰＵ１３８が情報を処理するために必要なデータを記憶する。
【００４３】
ハードディスク装置１０６は、第１ハードディスク１７０および第２ハードディスク１７２を含む。第１ハードディスク１７０および第２ハードディスク１７２は同一の構造を有する。これらの機能も同一である。
【００４４】
制御ブロック１０８は、インターフェイス兼ストリーム制御部１４０と、ＡＶエンコーダ１４２と、ＡＶデコーダ１４４と、メインＣＰＵ１４６と、ビデオデコーダ１４８と、音声用Ａ／Ｄ（Analog-to-Digital）変換器１５０と、ビデオエンコーダ１５２と、音声用Ｄ／Ａ（Digital-to-Analog）変換器１５４と、ＳＤＲＡＭ１５６と、フラッシュメモリ１５８とを含む。インターフェイス兼ストリーム制御部１４０は、処理ブロック１０４との間で情報を授受する。インターフェイス兼ストリーム制御部１４０は、信号の授受を制御する回路でもある。ＡＶエンコーダ１４２は、信号の容量を圧縮する。ＡＶデコーダ１４４は、圧縮された信号を解凍する。メインＣＰＵ１４６は、本実施の形態に係る情報記録装置の各部を制御する。ビデオデコーダ１４８は、後述するビデオスイッチ１６２が出力した映像用の信号を変換する。音声用Ａ／Ｄ変換器１５０は、音声スイッチ１６４が出力したアナログ信号をデジタル信号に変換する。ビデオエンコーダ１５２は、ＡＶデコーダ１４４が出力した信号を変換する。音声用Ｄ／Ａ変換器１５４は、ＡＶデコーダ１４４が出力したデジタル信号をアナログ信号に変換する。ＳＤＲＡＭ１５６は、インターフェイス兼ストリーム制御部１４０が信号を制御するために必要な情報を記憶する。フラッシュメモリ１５８は、インターフェイス兼ストリーム制御部１４０が信号を制御するために必要な情報を記憶する。フラッシュメモリ１５８は、メインＣＰＵ１４６が本実施の形態にかかる情報の処理を実現するためのプログラムを記憶する回路でもある。フラッシュメモリ１５８は、情報記録装置の電源が切られた後も記憶する必要がある情報を記憶する。
【００４５】
ＡＶチューナブロック１１０は、チューナ１６０と、ビデオスイッチ１６２と、音声スイッチ１６４と、ビデオドライバ１６６と、音声多重（以下、「音多」と略す）デコーダ１６８とを含む。
【００４６】
チューナ１６０は、電波を電気信号に変換する。ビデオスイッチ１６２は、チューナ１６０が出力した電気信号をデジタル化する。音声スイッチ１６４は、音声信号を受付ける。ビデオドライバ１６６は、ビデオエンコーダ１５２が出力した信号を出力する。音多デコーダ１６８は、チューナ１６０が変換した信号を主音声および副音声に分離する。
【００４７】
図２を参照して、情報記録装置で実行されるプログラムは、ハードディスク装置１０６に不良箇所がある旨の表示に関し以下のような制御構造を有する。
【００４８】
ステップ２００（以下、ステップをＳと略す。）にて、メインＣＰＵ１４６は、インターフェイス兼ストリーム制御部１４０に命令を出力する旨の信号を出力する。インターフェイス兼ストリーム制御部１４０は、ハードディスク装置１０６に命令を出力する。ハードディスク装置１０６は、メインＣＰＵ１４６が出力した命令に対応する情報を、インターフェイス兼ストリーム制御部１４０に出力する。インターフェイス兼ストリーム制御部１４０は、ハードディスク装置１０６から、情報を受付ける。ハードディスク装置１０６が出力した情報は、複数の情報の集合体である。本実施の形態の場合、この「複数の情報」の組合せは予め定められている。メインＣＰＵ１４６は、インターフェイス兼ストリーム制御部１４０が出力した値から、代替セクタ管理テーブルを抽出する。「代替セクタ管理テーブル」とは、ハードディスク装置１０６の各セクタのうち予め定められた条件を満たしたセクタを表わすデータテーブルのことである。代替セクタ管理テーブルは、上述の「複数の情報」の一部である。本実施の形態の場合における「予め定められた条件」とは、「情報を書込み済みの代替セクタであること」である。
【００４９】
Ｓ２０２にて、メインＣＰＵ１４６は、ハードディスク装置１０６が代替セクタを使用しているか否かを判断する。代替セクタを使用していると判断した場合（Ｓ２０２にてＹＥＳ）、処理はＳ２０４へと移される。もしそうでないと（Ｓ２０２にてＮＯ）、処理はＳ２１０へと移される。
【００５０】
Ｓ２０４にて、メインＣＰＵ１４６は、情報を書込み済みの代替セクタの数Ｎが予め定めた判断用のしきい値Ｘ以上か否かを判断する。代替セクタの数Ｎがしきい値Ｘ以上と判断した場合（Ｓ２０４にてＹＥＳ）、処理はＳ２０６へと移される。もしそうでないと（Ｓ２０４にてＮＯ）、処理はＳ２０８へと移される。
【００５１】
Ｓ２０６にて、メインＣＰＵ１４６は、フラッシュメモリ１５８からハードディスク装置１０６が不良箇所を有する旨の文字列データを読出す。この文字列データは、第１ハードディスク１７０および第２ハードディスク１７２のいずれが不良箇所を有するかを示すデータである。文字列データが読出されると、インターフェイス兼ストリーム制御部１４０は、その文字列データをＡＶデコーダ１４４に出力する。ＡＶデコーダ１４４は、出力されたデータを信号に変換する。ＡＶデコーダ１４４は、変換した信号をビデオエンコーダ１５２に出力する。ビデオエンコーダ１５２は、出力された信号をビデオドライバ１６６に出力する。ビデオドライバ１６６は、予め接続されたテレビに信号を出力する。これにより、本実施の形態に係る情報記録装置が接続されたテレビにハードディスク装置１０６が不良箇所を有する旨の文字列が表示される。信号が出力されると、メインＣＰＵ１４６は、図示しない入力装置を介して、ハードディスク装置１０６が記憶した任意情報を光ディスクに書込む旨の命令を受付ける。命令を受付けると、メインＣＰＵ１４６は、インターフェイス兼ストリーム制御部１４０に、ハードディスク装置１０６が記憶した任意情報を光ディスクに書込む旨の信号を出力する。インターフェイス兼ストリーム制御部１４０は、ハードディスク装置１０６が記憶した任意情報を読取る。任意情報が読取られると、インターフェイス兼ストリーム制御部１４０は、読取った任意情報を順次ＡＴＡＰＩインターフェイス１３２に出力する。ＡＴＡＰＩインターフェイス１３２は、出力された情報をＤＶＤエンコーダ１２６に出力する。ＤＶＤエンコーダ１２６は、出力された情報を光ディスクに書込むための信号に変換する。ＤＶＤエンコーダ１２６は、変換した信号をレーザパワー制御部１２２に出力する。レーザパワー制御部１２２は、出力された信号に対応するようにピックアップ部１１１が出力するレーザ光の出力を制御する。ピックアップ部１１１は、光ディスクにレーザ光を照射する。これにより、光ディスクに任意情報が書込まれる。ユーザは、不良箇所がある旨が表示されたハードディスクドライブを交換することとなる。
【００５２】
Ｓ２０８にて、メインＣＰＵ１４６は、リトライ制御カウンタ（このカウンタは、メインＣＰＵ１４６が内蔵するバッファの一部である）を「０」に設定する。Ｓ２１０にて、メインＣＰＵ１４６は、インターフェイス兼ストリーム制御部１４０を介して、ハードディスク装置１０６に任意の内容を表わす任意情報を出力する。あわせて、メインＣＰＵ１４６は、インターフェイス兼ストリーム制御部１４０を介して、ハードディスク装置１０６が記憶した任意情報を受付ける。本実施の形態の場合、メインＣＰＵ１４６は、任意情報を、第１ハードディスク１７０および第２ハードディスク１７２に並行して出力する。
【００５３】
Ｓ２１２にて、メインＣＰＵ１４６は、インターフェイス兼ストリーム制御部１４０に命令を出力する旨の信号を出力する。インターフェイス兼ストリーム制御部１４０は、ハードディスク装置１０６に命令を出力する。この命令は、ハードディスク装置１０６に、任意情報を書込んだセクタごとの結果およびハードディスク装置１０６が記憶した任意情報を読取ったセクタごとの結果のいずれかを表わす結果情報を出力させる旨の命令である。命令が出力された後、インターフェイス兼ストリーム制御部１４０は、結果情報を受付ける。本実施の形態の場合、インターフェイス兼ストリーム制御部１４０は、第１ハードディスク１７０および第２ハードディスク１７２それぞれの結果情報を受付ける。ただし、実際に任意情報を利用するハードディスクは、第１ハードディスク１７０および第２ハードディスク１７２のいずれか一方である。本実施の形態の場合、いずれのハードディスクの情報を利用するかということは、設計時に任意に定められる。インターフェイス兼ストリーム制御部１４０は、受付けた情報をメインＣＰＵ１４６に出力する。出力された情報に基づいて、メインＣＰＵ１４６は、情報の読取りおよび書込みのいずれかについてエラーが発生したか否かを判断する。エラーが発生したと判断した場合（Ｓ２１２にてＹＥＳ）、処理はＳ２１４へと移される。もしそうでないと（Ｓ２１２にてＮＯ）、処理はＳ２１０へと移される。
【００５４】
Ｓ２１４にて、メインＣＰＵ１４６は、リトライ制御カウンタの値を「１」増加させる。あわせて、メインＣＰＵ１４６は、ハードディスク装置１０６に信号を出力する。この信号は、結果情報に対応するセクタに以後アクセスしない旨を命じる信号である。
【００５５】
Ｓ２１６にて、メインＣＰＵ１４６は、リトライ制御カウンタの値が予め定められたしきい値以上か否かを判断する。これにより、メインＣＰＵ１４６は、ハードディスク装置１０６のセクタについての、任意情報を書込んだ結果および任意情報を読取った結果のいずれかの、エラーの回数が判断用のしきい値以上か否かを判断することとなる。予め定められたしきい値以上と判断した場合（Ｓ２１６にてＹＥＳ）、処理はＳ２１８へと移される。もしそうでないと（Ｓ２１６にてＮＯ）、処理はＳ２１０へと移される。
【００５６】
Ｓ２１８にて、メインＣＰＵ１４６は、自らがエラーの回数は判断用のしきい値以上であると判断した場合、フラッシュメモリ１５８から、ハードディスク装置１０６が不良箇所を有する旨の文字列データを読出す。この文字列データは、第１ハードディスク１７０および第２ハードディスク１７２のいずれが不良箇所を有するかを示すデータである。文字列が読出されると、インターフェイス兼ストリーム制御部１４０は、その文字列データをＡＶデコーダ１４４に出力する。ＡＶデコーダ１４４は、出力されたデータを信号に変換する。ＡＶデコーダ１４４は、変換した信号をビデオエンコーダ１５２に出力する。ビデオエンコーダ１５２は、その信号をビデオドライバ１６６に出力する。ビデオドライバ１６６は、予め接続されたテレビに信号を出力する。信号が出力されると、メインＣＰＵ１４６は、図示しない入力装置を介して、ハードディスク装置１０６が記憶した任意情報を光ディスクに書込む旨の命令を受付ける。命令を受付けると、メインＣＰＵ１４６は、インターフェイス兼ストリーム制御部１４０に、ハードディスク装置１０６が記憶した任意情報を光ディスクに書込む旨の信号を出力する。インターフェイス兼ストリーム制御部１４０は、ハードディスク装置１０６が記憶した任意情報を読取る。任意情報が読取られると、インターフェイス兼ストリーム制御部１４０は、読取った任意情報を順次ＡＴＡＰＩインターフェイス１３２に出力する。ＡＴＡＰＩインターフェイス１３２は、出力された情報をＤＶＤエンコーダ１２６に出力する。ＤＶＤエンコーダ１２６は、出力された情報を光ディスクに書込むための信号に変換する。ＤＶＤエンコーダ１２６は、変換した信号をレーザパワー制御部１２２に出力する。レーザパワー制御部１２２は、出力された信号に対応するようにピックアップ部１１１が出力するレーザ光の出力を制御する。ピックアップ部１１１は、光ディスクにレーザ光を照射する。これにより、光ディスクに任意情報が書込まれる。ユーザは、不良箇所がある旨が表示されたハードディスクドライブを交換することとなる。
【００５７】
以上のような構造およびフローチャートに基づく、情報記録装置の動作について説明する。
【００５８】
メインＣＰＵ１４６は、ハードディスク装置１０６に命令を出力する旨の信号をインターフェイス兼ストリーム制御部１４０に出力する。インターフェイス兼ストリーム制御部１４０は、ハードディスク装置１０６に命令を出力する。インターフェイス兼ストリーム制御部１４０は、ハードディスク装置１０６が出力した情報を受付ける。メインＣＰＵ１４６は、インターフェイス兼ストリーム制御部１４０が出力した値から、代替セクタ管理テーブルを抽出する（Ｓ２００）。
【００５９】
代替セクタ管理テーブルが抽出されると、メインＣＰＵ１４６は、ハードディスク装置１０６が代替セクタを使用しているか否かを判断する（Ｓ２０２）。この場合、代替セクタを使用していると判断されるので（Ｓ２０２にてＹＥＳ）、メインＣＰＵ１４６は、情報を書込み済みの代替セクタの数Ｎが予め定めた判断用のしきい値Ｘ以上か否かを判断する（Ｓ２０４）。代替セクタの数Ｎが判断用のしきい値Ｘ以上と判断されると（Ｓ２０４にてＹＥＳ）、ビデオドライバ１６６は、予め接続されたテレビにハードディスク装置１０６が不良箇所を有する旨の信号を出力する。信号が出力されると、ＤＶＤエンコーダ１２６は、ハードディスク装置１０６が記憶した任意情報を光ディスクに書込む旨の信号をレーザパワー制御部１２２に出力する。レーザパワー制御部１２２は、出力された信号に対応するようにピックアップ部１１１が出力するレーザ光の出力を制御する。ピックアップ部１１１は、光ディスクにレーザ光を照射する（Ｓ２０６）。レーザ光が照射されると、メインＣＰＵ１４６は、リトライ制御カウンタを「０」に設定する（Ｓ２０８）。
【００６０】
リトライ制御カウンタが「０」に設定されると、メインＣＰＵ１４６は、インターフェイス兼ストリーム制御部１４０を介して、ハードディスク装置１０６に任意の内容を表わす任意情報を出力する。あわせて、メインＣＰＵ１４６は、インターフェイス兼ストリーム制御部１４０を介して、ハードディスク装置１０６が記憶した任意情報を受付ける。本実施の形態の場合、メインＣＰＵ１４６は、任意情報を、ハードディスク装置１０６を構成するハードディスクドライブすべてに並行して出力する（Ｓ２１０）。任意情報が出力されると、メインＣＰＵ１４６は、インターフェイス兼ストリーム制御部１４０を介してハードディスク装置１０６に命令を出力する。命令が出力された後、インターフェイス兼ストリーム制御部１４０は、結果情報を受付ける。
【００６１】
結果情報が受付けられると、メインＣＰＵ１４６は、情報の読取りおよび書込みのいずれかについてエラーが発生したか否かを判断する（Ｓ２１２）。この場合、エラーが発生したと判断されるので（Ｓ２１２にてＹＥＳ）、メインＣＰＵ１４６は、リトライ制御カウンタの値を「１」増加させる（Ｓ２１４）。リトライ制御カウンタの値が「１」増加すると、メインＣＰＵ１４６は、リトライ制御カウンタの値が予め定められたしきい値以上か否かを判断する（Ｓ２１６）。当初予め定められたしきい値以上と判断されないので（Ｓ２１６にてＮＯ）、Ｓ２１０〜Ｓ２１６の処理が繰返される。
【００６２】
最終的に、メインＣＰＵ１４６が、エラーの回数は判断用のしきい値以上であると判断するので（Ｓ２１６にてＹＥＳ）、ビデオドライバ１６６は、予め接続されたテレビにハードディスク装置１０６が不良箇所を有する旨の信号を出力する。信号が出力されると、ＤＶＤエンコーダ１２６は、ハードディスク装置１０６が記憶した任意情報を光ディスクに書込む旨の信号をレーザパワー制御部１２２に出力する。レーザパワー制御部１２２は、出力された信号に対応するようにピックアップ部１１１が出力するレーザ光の出力を制御する。ピックアップ部１１１は、光ディスクにレーザ光を照射する（Ｓ２１８）。
【００６３】
以上のようにして本実施の形態に係る情報記録装置は、ハードディスク装置に不良箇所があった場合、不良品となる前に、不良箇所がある旨を表示させることができる。特にエラーがあった回数で不良箇所があるか否かを判断するので、ハードディスク装置の不良箇所の有無をより的確に判断できる。不良箇所がある旨が表示されるので、不良品となる前に、ハードディスク装置の任意情報を光ディスクに書込むことができる。複数のハードディスクドライブに並行して任意情報を記憶させることができる。複数のハードディスクドライブに任意情報が記憶されるので、１台のハードディスクドライブが不良品となっても、他のハードディスクドライブに同一の内容の情報が残ることとなる。情報を書込み済みの代替セクタを検出できるハードディスクは、汎用性が高い。汎用性が高いので、より低いコストで不良箇所がある旨を表示させることができる。その結果、専門的な知識を持たないユーザが的確にデータを保護でき、かつ的確な処理を可能とする低コストの情報記録装置を提供することができる。
【００６４】
なお、本実施の形態にかかる不良箇所の表示処理は、図１に図示しないＣＰＵが実施してもよい。
【００６５】
また、Ｓ２０６およびＳ２１８における「不良箇所がある」旨の表示は、より具体的な内容であってもよい。「より具体的な表示」の第１の例は、第１ハードディスク１７０および第２ハードディスク１７２それぞれに固有の情報（たとえば製造番号）を表示することである。この場合、テレビには「ハードディスクが近日中に故障するおそれがあります。修理のご用命の際は、製造番号○○○○○のハードディスクに不良箇所があるとお知らせ下さい。」などと表示される。このように表示するため、ビデオドライバ１６６は、第１ハードディスク１７０および第２ハードディスク１７２それぞれに固有の情報を含む信号を出力する。第２の例は、不良箇所があるハードディスクを図示することである。この場合、本実施の形態に係る情報記録装置の外観図および不良箇所があるハードディスクの取出口の図などを表示する。ハードディスクを取外す手順をあわせて表示してもよい。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の実施の形態に係る情報記録装置の制御ブロック図である。
【図２】本発明の実施の形態に係る不良箇所の表示処理の制御の手順を示すフローチャートである。
【符号の説明】
【００６８】
１０２  ＯＰＵ、１０４  処理ブロック、１０６  ハードディスク装置、１０８  制御ブロック、１１０  ＡＶチューナブロック、１１１  ピックアップ部、１１２  スピンドルモータ、１１４  ローディングモータ、１１６  スレッドモータ、１２０  ＲＦ信号処理部、１２２  レーザパワー制御部、１２４  ＣＤ／ＤＶＤデコーダ、１２６  ＤＶＤエンコーダ、１２８  ＣＤエンコーダ、１３０  サーボ信号処理部、１３２  ＡＴＡＰＩインターフェイス、１３４，１５６  ＳＤＲＡＭ、１３６  モータドライバ、１３８  サブＣＰＵ、１３９，１５８  フラッシュメモリ、１４０  インターフェイス兼ストリーム制御部、１４２  ＡＶエンコーダ、１４４  ＡＶデコーダ、１４６  メインＣＰＵ、１４８  ビデオデコーダ、１５０  音声用Ａ／Ｄ変換器、１５２  ビデオエンコーダ、１５４  音声用Ｄ／Ａ変換器、１６０  チューナ、１６２  ビデオスイッチ、１６４  音声スイッチ、１６６  ビデオドライバ、１６８  音声多重デコーダ。
【図１】
2006099908.tif 000003
【図２】
2006099908.tif 000004